(57)【要約】【課題】本発明は、穀物袋等に保管されている穀物等の品質及び水分等の検定のために、穀刺を用いて穀袋内の穀物の一部を試料として取り出し、試料容器に採取する場合、穀物の脱漏及び夾雑物の混入なく、しかも一人の採取者でも容易に作業することができるための、新規な穀刺を提供することを課題とする。【解決手段】一方の端部が先鋭端である刺部と、該刺部の他の一方の端部に握り部を有する穀物を採取するための長尺の穀刺において、握り部の近傍又は握り部端部に、採取した穀物を刺部から外部へ放出し得る排出口と、その排出口に試料容器を取り付け得る接続手段と、を設けた穀刺。【選択図】  図１
2005016961.tif 000002
【特許請求の範囲】
【請求項１】
一方の端部が先鋭端である刺部と、該刺部の他の一方の端部に握り部を有する穀物を採取するための長尺の穀刺において、握り部の近傍又は握り部端部に、採取した穀物を刺部から外部へ放出し得る排出口と、その排出口に試料容器を取り付け得る接続手段と、を設けた穀刺。
【請求項２】
刺部に、穀物袋に対する差し込み深さを測るための目盛を設けた、請求項１記載の穀刺。
【請求項３】
試料容器の接続手段が着脱可能である、請求項１又は２記載の穀刺。
【請求項４】
請求項１〜３のいずれかの穀刺の接続手段に試料容器を接続し、穀刺を、刺部の先鋭状の一端から穀物の入った穀物袋に一定の長さまで差し込み、刺部の一定部位まで穀物袋内部の穀物を充満させ、穀物が充満した穀刺を穀物袋から引き抜くことにより、刺部に入り込んだ穀物を取り出し、次に、穀刺の先鋭状の一端が握り部より上がるように穀刺傾斜させ、刺部に入り込んだ穀物を、採取口から接続手段を経て試料容器に流下させて穀物を採取する、穀物の採取方法。
【発明の詳細な説明】
【０００１】
【発明の属する技術分野】
本発明は、米、麦、豆等の穀物の入った穀物袋に突き刺し、穀物袋内の穀物の品質や穀物中の水分等を検定する試料を取り出すための穀刺に関する。詳しくは、取り出された穀物が脱漏なく、水分や他の夾雑物の混入なく、簡便に試料容器に移し替えることができ、さらに一定量の穀物を採取できる穀刺に関する。
【０００２】
【従来の技術】
従来、穀物袋等に保管されている穀物等の水分や品質等の検定のために、穀袋内の穀物の一部を試料として取り出し、試料容器に採取するためには、一端が開口する中空の棒材の前記一端を先鋭状とし、前記棒材の一側面に長手方向に沿って切欠を形成し、前記棒材の他端に握り部を設けた穀物を採取するためのいわゆる穀刺（例えば、特許文献１に記載）を、穀物等の入った袋、例えば、俵、麻袋、紙袋、合成樹脂等で編んだ袋（穀袋）等に突き刺し、それを引き抜いたときに穀刺上に収納された穀物を、穀刺の握り部の反対側の刺部の先鋭端から試料容器に移し替えていた。
【０００３】
しかしながら、特に水分の検定のために、密封可能な入り口の小さな試料容器への移し変えを行なう場合、穀刺が短いものであれば、その握り部と先端部の距離が短いため、移し変えが比較的容易であるものの、その長さが２５ｃｍを越えると、手の震え等により、穀刺の先端部が試料容器の入り口に定まらず、穀刺に収納された穀物全てを試料容器に移し替えることが困難であり、少なくない量の穀物が床等に脱漏するのが常であった。従って、穀物等の脱漏がなくこれらの作業を一人で行なうことは熟練を要し、二人以上の手を要することもあった。また、従来の穀刺には、目盛がなく、必要以上に穀物を取り出すことが屡々であった。
そして、これら床等に脱漏、飛散した穀物類や取り出しすぎた穀物類は、それらが食品であることから、穀物袋内に戻して目的の製品として使用することができず、規格外の用途として利用するか、廃棄するより方法がなかった。また、これら穀物の採取及び試料容器への移し変えは、頻度が非常に高く、その結果、失われる穀物の量は多量であり、非常に不経済であった。
【特許文献１】実公平５−１８６８１号公報
【０００４】
【発明が解決しようとする課題】
本発明は、穀物袋等に保管されている穀物の水分や品質等の検定のために、穀刺を用いて穀袋内の穀物の一部を試料として取り出し、試料容器に採取する場合、上記の従来技術の問題点を解決し、穀物の脱漏及び夾雑物の混入なく、しかも一人の採取者でも容易に作業することができるための、新規な穀刺を提供することを課題とする。
【０００５】
【課題を解決するための手段】
本発明者は、従来用いられていた穀刺を用いて、穀物の入った袋から穀物を採取し、採取した穀物を脱漏なく試料容器に移し替える方法を検討した結果、穀刺の握り部近傍又は握り部末端に排出口を設け、その先鋭端が上方を向くよう穀刺を傾斜させて、穀刺の刺部上に保持されている穀物を該採取口に取り付けられた試料容器内に直接移し替えることにより、穀物の試料容器内への移し変えが手元近くで行なえるので、手の震え等に影響されることなく、試料容器に穀物の脱漏なく、また水分及び夾雑物等の異物の混入なく、容易に移し替えることができることを見出し、本発明を完成した。
【０００６】
すなわち本発明は、一方の端部が先鋭端である刺部と、該刺部の他の一方の端部に握り部を有する穀物を採取するための長尺の穀刺において、握り部近傍又は握り部末端に、採取した穀物を刺部から外部へ放出し得る排出口と、その排出口に試料容器を取り付け得る接続手段と、を設けた穀刺、及び該穀刺を用いた穀物の採取方法である。
【０００７】
【発明の実施の形態】
以下、本発明について詳細に説明する。
本発明の穀刺は、穀刺の刺部の、握り部近傍又は握り部末端に、採取した穀物を刺部から外部へ放出し得る排出口と、その排出口に試料容器を取り付け得る接続手段が設けられていることを特徴とする。
【０００８】
図１は本発明の穀刺の一例の平面図であり、図２はその側面図である。
図１及び２において、穀刺１は、一方の端部が先鋭端１０ａである長尺の部材である刺部１０と、刺部１０の他の一端の握り部１１と、刺部１０の、先鋭端１０ａとは反対の握り部近傍に、採取した穀物を刺部１０から外部へ放出し得る排出口１０ｃと、その排出口１０ｃに試料容器を取り付け得る接続手段１２からなる。
刺部１０は、端部を先鋭にした先鋭端１０ａを有する長尺の部材であって、その一部が長手方向に沿って両側面を立ち上げられている。刺部１０には、握り部１１が取り付けられるが、刺部１０が握り部１１を貫通していてもよい。刺部１０の断面の形状に特に制限はないが、穀物袋に容易に突き刺すことができるために円形又は楕円形であることが好ましい。刺部１０の材質は特に限定されないが、通常、ステンレススティールが用いられる。刺部１０に、目盛１０ｄが刻まれていることが好ましい。目盛は、一定間隔に刻まれていることがより好ましい。
【０００９】
本発明の穀刺において、採取した穀物を刺部から試料を外部へ放出し得る排出口は、先鋭端とは反対の握り部近傍又は握り部末端に位置する。すなわち、刺部が握り部の前でとまっている場合は、握り部手前の握り部近傍であり、刺部が握り部を貫通している場合は、刺部末端である握り部の末端に位置してもよい。
【００１０】
本発明の穀刺において、排出口の口径は、採取する穀物の粒径によって、所望の口径に変えることができるが、例えば、穀物が米の場合、７ｍｍ〜１５ｍｍであり、穀物が大豆の場合、１４ｍｍ〜２０ｍｍである。
本発明の穀刺において、排出口の形状は特に限定されない。通常、円形、楕円形であることが好ましい。
本発明の穀刺において、排出口には、穀物の試料容器を取り付けるための接続手段が設けられている。試料容器への接続手段の長さは限定されないが、通常５ｍｍ〜６０ｍｍである。試料容器への接続手段は、排出口に固定されていてもよく、着脱可能であってもよい。
試料容器への接続手段は、穀物の試料容器が押蓋つき壜や樹脂フィルムの袋のような容器であれば、単に筒状であってもよく、また、試料容器が螺子蓋つき壜のような容器であれば、その螺子にあった雌螺子つきであってもよい。
【００１１】
着脱可能な試料容器への接続手段とは、例えば、刺部に差し込み可能な、一端が穀物試料容器との接続部としたＴ字型のスリーブであって、刺部の先鋭端から排出口まで差し込むことができ、該接続部から試料容器に穀物を採取できるものである。図３は、接続手段のＴ字型スリーブ３２を、図１において、接続手段を備えない穀刺の刺部３０の先鋭端から排出口まで差し込んだ本発明の穀刺３の側面図である。また、図４は、本発明に係る着脱可能な接続手段の一例である試料容器への接続部３２ａを有する接続手段であるＴ字型スリーブ３２の斜視図であり、この場合、Ｔ字型のスリーブの材質は、必ずしも刺部と同じ材質でなくてもよく、樹脂製のものでもよい。
着脱可能な接続手段としてのＴ字型スリーブの試料容器への接続部の形状もまた、単に筒状であっても、また螺子つきであってもよい。接続部が着脱可能であるので、試料容器の入り口の形状に合わせて接続部を交換でき、種々の容器に対応できる。
【００１２】
図５は、刺部が握り部を貫通している場合の穀物を外部へ排出するための刺部末端、すなわち、握り部末端に位置する排出口を有する本発明の穀刺の一例の側面図である。図５において、穀刺４は、刺部４０が握り部４１を貫通し、握り部末端までのび、その末端に試料排出口４０ｃを有し、該排出口に接続手段４２が設けられている。試料容器への接続手段は、排出口に固定されていてもよく、着脱可能であってもよい。図５においては、接続手段４２は、握り部４１の末端に設けられた螺子によって着脱することができる。
この場合において、排出口の形状及び口径は、刺部の形状及び口径と同じであることが好ましい。排出口に設けられた接続手段の長さは限定されないが、通常５ｍｍ〜６０ｍｍである。試料容器への接続手段は、試料容器の形状に合わせて適宜決定される。接続手段が着脱可能である場合、試料容器の形状、大きさに合わせ、接続手段を適宜交換できる。
【００１３】
次に、図１に例示した本発明の穀刺１を用いて、穀物の採取方法を説明する。
図６に示すように、試料容器への接続手段１２に試料容器２を接続した本発明の穀刺１を、先鋭状の一端１０ａから穀物の入った穀物袋に、刺部１０の一定の長さまで差し込むと、穀刺１の刺部１０の一定部位まで穀物袋内部の穀物が充満する。この状態で、穀刺１を穀物袋から引き抜くと、刺部１０に入り込んだ穀物が取り出される。次に、穀刺１の先鋭状の一端１０ａが握り部１１より上になるよう穀刺１を傾斜させると、刺部１０に入り込んだ穀物は、採取口（図示せず）から接続手段１２を経て試料容器２に、脱漏なく全量採取される。このとき、刺部１０に目盛１０ｄが刻まれていると、この目盛を目安として、一定の長さまで穀刺１を差し込むことができ、常に刺部１０の一定部位まで穀物が充満できるので、繰り返し採取する場合、一定量の穀物が採取でき、無駄がない。穀物採取後、穀物の入った試料容器２は、接続手段１２から取り外され、試料容器が蓋つきの容器であれば蓋で、試料容器が袋であれば輪ゴム等で密封され、品質や水分量の測定等所定の検定のために保存される。一方、所定の穀物袋の穀刺穴閉塞シート等を貼着し、刺孔を塞ぐ。
【００１４】
【実施例】
実施例１
試料容器への接続手段に試料容器を接続した図１の穀刺を、刺部の先鋭状の一端から穀物の入った穀物袋に、目盛を目安として一定の長さまで差し込み、この状態で、穀刺を穀物袋から引き抜き、刺部に入り込んだ穀物を取り出した。次に、穀刺の先鋭状の一端を上方向に持ち上げて、刺部に入り込んだ穀物を、排出口から試料容器への接続手段を経て試料容器に採取した。
刺部に入り込んだ穀物は、脱漏なく全量採取された。上記操作を繰り返し行ったが、常に略一定量の穀物が採取された。
【００１５】
【発明の効果】
本発明の穀刺は、穀刺の握り部の近傍又は末端に試料の排出口を有し、排出口に穀物試料容器への接続手段を設けてあるので、試料容器を接続手段に接続して、刺部に収納された穀物を排出口から移し替える場合、その作業が手元近くで行なえるので、手の震え等に影響されずに、穀物を脱漏なく、また夾雑物や水分等の異物の混入なく、試料容器に容易に移し替えることができる。また、本発明の穀刺の刺部に目盛が刻まれているので、常に一定量の穀物が採取でき、穀物の無駄がない。さらに、試料容器への接続部が着脱可能であるので、試料容器の形状に合わせて接続部を交換できるので、種々の試料容器が使用できる。
【図面の簡単な説明】
【図１】図１は、本発明の穀刺の一例の平面図である。
【図２】図２は、本発明の穀刺の一例の側面図である。
【図３】図３は、着脱可能な接続手段を取り付けた本発明の穀刺の一例の側面図である。
【図４】図４は、本発明の着脱可能な接続手段であるＴ字型スリーブの一例の側面図である。
【図５】図５は、刺部が握り棒を貫通し、握り棒の末端に排出口を有する本発明の穀刺の一例の側面図である。
【図６】図６は、本発明の穀刺に試料容器を取り付けたときの側面図である。
【符号の説明】
１、３、４：穀刺
２：試料容器
１０、３０、４０：刺部
１０ａ：刺部の先鋭端
１０ｃ、４０ｃ：排出口
１０ｄ：目盛
１１、３１、４１：握り部
１２、３２、４２：接続手段
【図１】
2005016961.tif 000003
【図２】
2005016961.tif 000004
【図３】
2005016961.tif 000005
【図４】
2005016961.tif 000006
【図５】
2005016961.tif 000007
【図６】
2005016961.tif 000008